(57)【要約】【課題】ホームページの作成・提供、維持・管理を行うホームページ提供システムに関し、作成依頼者が容易にホームページの作成を依頼することができ、また作成後の更新においても、効果的なプロモーションを行えるホームページの提供を可能とすること。【解決手段】ホームページの作成依頼者からの作成条件を受け付ける作成条件入力部と、受け付けられた作成条件を保管する作成条件保管部と、前記作成条件保管部に保管された作成条件を元にホームページの作成を行うホームページ作成部とを有するホームページ提供システムとした。【選択図】　図１
2004062711.tif 000002
【特許請求の範囲】
【請求項１】
ホームページの作成依頼者からの作成条件を受け付ける作成条件入力部と、受け付けられた作成条件を保管する作成条件保管部と、前記作成条件保管部に保管された作成条件を元にホームページの作成を行うホームページ作成部とを有することを特徴とするホームページ提供システム。
【請求項２】
前記ホームページに関する構成要素を保管する構成要素保管部と、前記構成要素保管部に保管された構成要素を作成依頼者が選択可能な構成要素選択部と、前記構成要素選択部にて作成依頼者が選択した構成要素を元に試験的ホームページを作成する試験的ホームページ作成部とを設けたことを特徴とする請求項１記載のホームページ提供システム。
【請求項３】
前記ホームページに関する構成要素を保管する構成要素保管部と、前記作成依頼者の要望を保管する作成要望保管部とを設けるとともに、前記作成要望保管部に保管された要望を分析する要望分析部と、前記要望分析部での分析結果に応じて前記構成要素保管部に保管された構成要素を元に試験的ホームページを作成する試験的ホームページ作成部とを設けたことを特徴とする請求項１，２記載のホームページ提供システム。
【請求項４】
前記ホームページに関する構成要素を保管する構成要素保管部と、前記作成依頼者の情報を保管する作成者情報保管部とを設けるとともに、前記作成者情報保管部に保管された作成者情報を分析する作成者情報分析部と、前記作成者情報分析部での分析結果に応じて前記構成要素保管部に保管された構成要素を元に試験的ホームページを作成する試験的ホームページ作成部とを設けたことを特徴とする請求項１から３記載のホームページ提供システム。
【請求項５】
前記ホームページの更新データを保管する更新データ保管部と、前記更新データ保管部に保管された更新データを元に定期／不定期に作成依頼者のホームページを更新するデータ更新部とを設けたことを特徴とするホームページ提供システム。
【請求項６】
前記作成依頼者の顧客データを参照する顧客データ参照部と、前記顧客データ参照部で参照した顧客データを分析する顧客データ分析部とを設けるとともに、前記データ更新部が、前記顧客データ分析部の分析結果を元に、定期／不定期に作成依頼者のホームページを更新することを特徴とする請求項５記載のホームページ提供システム。
【発明の詳細な説明】
【０００１】
【発明の属する技術分野】
本発明は、依頼者の要求に応じたホームページを、作成・提供、維持・管理するホームページ提供システムに関し、ホームページを閲覧する顧客に対して作成依頼者からのプロモーションが効果的に行えるホームページ提供システムに関する。
【０００２】
【従来の技術】
インターネットの普及により、ホームページを通じて商品の情報を提供したり、販売を行ったりということが、盛んになってきている。このホームページについては、容易になりつつあるとは言え、その作成や維持はまだ難しい面を残している。また、技術面では容易であっても、作成や維持管理の負荷の面や人員の確保から、これが難しい場合もある。このため、ホームページの作成や維持管理の代行が行われてきた。
【０００３】
このホームページの作成や維持については、既に多くのサービスや作成そのものについても支援用のアプリケーションが準備されている。さらに、作成方法のみならず、作成代行について、効率的に業務が行えるような工夫もなされてきている。
【０００４】
例えば特開２００２−１１６９９０に示されるようにホームページの制作処理について、Ｗｅｂ（Ｗｏｒｄ　Ｗｉｄｅ　Ｗｅｂ）上で進行状況を管理するようなものがあった。さらに、例えば特開２００２−１９７３１５に示されるように、制作費用をリアルタイムで確認できるように工夫したものがった。また、例えば特開２００２−１１７３３８に示されるように、制作依頼者の与信をサーバで確認して制作の受注を行い、制作費用を確実に回収しようと試みるものもあった。
【０００５】
【発明が解決しようとする課題】
しかしながら、ホームページの作成を依頼する依頼者側にとっては、元々作成を依頼する理由であった技術面での問題のサポートが必要であり、より簡単な依頼や、内容の確認についての配慮が必要となってくる。
また、作成されたホームページの更新についても、更新の作業自体の難しさを代行するものはあっても、依頼者側のビジネスに適した内容での更新といった点まで考慮されているものはなく、この点においても依頼者側の利便性を考慮する必要がある。
【０００６】
つまり、ホームページの作成や維持を依頼されて制作する側の効率化を目指したものはあっても、作成や維持を依頼する依頼者側の立場で効率化や、より高いプロモーション効果をねらって支援するようなものでは、なかった。
【０００７】
本発明は、上記課題を解決するためになされたもので、本発明はホームページの作成・提供、維持・管理を行うホームページ提供システムに関し、特に効果的なプロモーションを行えるホームページが提供可能なシステムの実現を目的とする。
【０００８】
【課題を解決するための手段】
上記課題を解決するため、本発明の請求項１では、ホームページの作成依頼者からの作成条件を受け付ける作成条件入力部と、受け付けられた作成条件を保管する作成条件保管部と、前記作成条件保管部に保管された作成条件を元にホームページの作成を行うホームページ作成部とを有することを特徴とするホームページ提供システムとした。これにより、作成依頼者からの条件に従ってホームページを作成し、提供することが可能となる。
【０００９】
また、請求項２においては、ホームページに関する構成要素を保管する構成要素保管部と、前記構成要素保管部に保管された構成要素を作成依頼者が選択可能な構成要素選択部と、前記構成要素選択部にて作成依頼者が選択した構成要素を元に試験的ホームページを作成する試験的ホームページ作成部とを設けるようにした。これにより、作成依頼者が、ホームページの仕上がりのイメージを試行できるため、より作成依頼者の希望に叶ったホームページを選択することができる。また、インターネット経由での即時性を生かし、タイムリーな内容確認も行うことができる。
なお、試験的ホームページを元に正式分を作成するよう、構成してもよい。
【００１０】
また、作成依頼者に対しては、構成要素として、予め準備しておいたホームページのいくつかの雛型を提案することができる。また、ホームページに用いられる文字の形式や体裁などについても、複数準備しておくことで、作成依頼者の選択の幅を広げることができる。また、ホームページの各所の色や模様などについても、同様である。
【００１１】
また、これらの各構成要素を組み合わせた構成要素とし、作成依頼者用の雛型として登録して利用することもできる。この場合、事前に多くの構成要素を登録して、その中から選択してもらうよりも、作成依頼者にとっては効率的であり、またホームページ提供システムの提供側にとっては、資源面でも有利となる。
【００１２】
また、作成依頼者が特に用いたい図や写真、ロゴ等があった場合、ホームページ提供システムを提供する側のサーバにアップロードして、ホームページの試行を行うような機能を付加し、さらに作成依頼者に現実性の高いホームページを提示することができる。
【００１３】
また、選択可能な構成要素は、実際のホームページ作成用とは別に、試験的ホームページ作成専用のものを、準備しておいてもよい。実際のホームページにＪａｖａ（Ｒ）やスクリプト等、特殊な機能を組み込むことがあるが、作成依頼者が試験的ホームページにて、ホームページのデザインを検討する段階では、不要なものであり、また機能上の整合をとる必要がなく、効率的に試験的ホームページの提示が可能となる。
【００１４】
また、請求項３においては、ホームページに関する構成要素を保管する構成要素保管部と、前記作成依頼者の要望を保管する作成要望保管部とを設けるとともに、前記作成要望保管部に保管された要望を分析する要望分析部と、前記要望分析部での分析結果に応じて前記構成要素保管部に保管された構成要素を元に試験的ホームページを作成する試験的ホームページ作成部を設けるようにした。これにより、ホームページ作成システムを提供する側が、作成依頼者からの要望を分析・反映することにより、より作成依頼者に適したホームページを提案できる。
【００１５】
例えば、作成依頼者の具体的な作成条件（色はＲＧＢ値がこの値、フォントはこのフォント）ではなく、曖昧となりがちな要望（威厳のある感じ、あかるい感じ．．）を元に、作成依頼者に適したホームページを試験的に作成することで、作成依頼者側での構成要素の細々とした選択といった負荷を低減して、より作成依頼者に適したホームページを提案できる
【００１６】
また、請求項４においては、ホームページに関する構成要素を保管する構成要素保管部と、前記作成依頼者の情報を保管する作成者情報保管部とを設けるとともに、前記作成者情報保管部に保管された作成者情報を分析する作成者情報分析部と、前記作成者情報分析部での分析結果に応じて前記構成要素保管部に保管された構成要素を元に試験的ホームページを作成する試験的ホームページ作成部とを設けるようにした。これにより、ホームページ作成システムを提供する側で、作成依頼者が、具体的な指示や要望がない状況であっても、より作成依頼者に適したホームページを提示できる。
【００１７】
例えば、作成者情報に関し経営規模に着目したとすると、小規模経営の作成依頼者と判断した場合には、家庭的な雰囲気を出すことが好適と判断して、これに適した構成要素を選択し、ホームページを提供できる。また、創業が古い作成依頼者の場合には、威厳を感じられるものが好適と判断して、これに適したホームページを提案するといったことを行ってもよい。
【００１８】
また、作成依頼者の周辺環境の情報も含まれる場合には、これを反映したものを作成してもよい。例えば、住所より地理的に海が近いと判断される場合には、海をイメージさせるようなホームページを提案してもよいし、新興住宅地にあると判断されれば、ファミリー向けのムードのホームページとしてもよい。
【００１９】
また、請求項５においては、ホームページの更新データを保管する更新データ保管部と、前記更新データ保管部に保管された更新データを元に定期／不定期に作成依頼者のホームページを更新するデータ更新部とを設けたことを特徴とするホームページ提供システムとした。これによりホームページの内容について、作成者が具体的に指示するだけでなく、データ更新部に更新指示を設定しておくことで、自動的な更新を行うことが可能となる。
【００２０】
また、請求項６においては、前記作成依頼者の顧客データを参照する顧客データ参照部と、前記顧客データ参照部で参照した顧客データを分析する顧客データ分析部とを設けるとともに、前記データ更新部が、前記顧客データ分析部の分析結果を元に、定期／不定期に作成依頼者のホームページを更新するようにした。これにより、ホームページ作成システムを提供する側で、依頼者の顧客に関するデータを分析して、ホームページの内容を定期／不定期に更新できるため、依頼者の負荷なく、より効果的な内容でホームページを更新することが可能となる。
【００２１】
ホームページの場合、インターネット上では、どこからでもアクセス可能であるが、実際、作成依頼者の提供するサービスを受ける顧客については、ある程度の傾向があるのではないかと推察され、顧客データの分析を行い、これに合った内容をホームページで提供し、更新していくことは、有効と考えることができる。
【００２２】
【発明の実施の形態】
本発明の内容をより理解しやすくするため、以下に実施例を用いて詳説する。
【００２３】
【実施例】
本実施例における全体のシステム構成を図１に示す。本実施例については、作成依頼者からの依頼から、提供されるホームページの確認も含めて、インターネット経由で実現する場合を例示している。１はインターネット、２は作成依頼者の端末、３はホームページ提供システムの事業者側の端末、４は提供されるホームページが掲載されるＷｅｂサーバー、５はＷｅｂサーバー上の各種ホームページを参照する顧客の端末を、示す。
【００２４】
提供されるホームページの試験的作成を中心に、フロー図を用いて説明する。図６は、正式にホームページを作成する前段階として、作成依頼者側で試験的に作成されるホームページを確認するまでのフローを示している。ホームページの作成依頼を行う作成依頼者は、作成してもらうホームページの体裁を決める必要があるが、この際、作成依頼者端末２からインターネット１を経由して、ホームページ提供業者端末３にアクセスする。アクセスに際しては、ホームページ提供業者端末側より、図２に示すようなホームページ形式でのインターフェースで提供し、作成依頼者はＷｅｂブラウザーを用いて、参照することができる。
なお、この図２におけるインターフェースについては、他のＷｅｂサーバー上に置いても構わない。
【００２５】
図２に示される画面において、作成依頼者は、まずどのような仕上がりのホームページになるかのか確認するため、試験的（お試し）ホームページを作成し確認する。この際、作成依頼者の状況に応じて、試験的ホームページ作成のための設定方法を選択することができる。
【００２６】
作成依頼者が、ある程度のホームページ作成能力があったり、作成上の条件が決まっている場合には、図６のＳｔｅｐ１０１において、「自分で設定」を選択し、図２の画面に示される項目を選択していく（Ｓｔｅｐ１０２）。図２の例においては、ホームページの形態（フレームの有無等）や、背景色を指定することができる。指定項目は、図２に示される、形式、背景色、フォントに止まらず、模様や写真の有無といった見栄えに関するものだけでなく、費用見積もりといった機能についても、選択が可能である。
【００２７】
また、作成依頼者側から正式に作成するホームページで使用する予定の、写真やロゴについて、ホームページ提供システム側にアップロードできるようにしておけば、これらの写真やロゴを含んだ、より完成品に近い試験的ホームページを参照することが可能となる。
また、具体的に作成依頼者の店舗名などを入力するようにして、より内容を確認しやすくすることもできる。
【００２８】
作成依頼者がＳｔｅｐ１０２で設定した設定内容に従って、Ｓｔｅｐ１０７において試験的ホームページ作成のための設定内容が決定される。決定された設定内容に従い、Ｓｔｅｐ１０８では、ホームページレイアウト上必要となるレイアウトや、構成パーツをＤＢより選択し、Ｓｔｅｐ１０９で実際のレイアウトを行う。
なお、レイアウトに当たっては、正式に作成されるホームページの全機能を盛り込む必要はなく、概観を中心としてデザインを確認するためのものに限定してもよい。この場合、レイアウトした試験的ホームページは簡素なものとなり、レイアウトための負荷が少なくて済み、作成依頼者にすぐに提示することが可能となる。また、本来、ホームページ作成上、人手による調整が必要な部分も省略し、処理を簡略化することが可能となる。
【００２９】
レイアウトされた図５のような試験的ホームページを、Ｓｔｅｐ１１０の表示を経て、作成依頼者は確認を行うことができる。作成依頼者は、表示された試験的ホームページを確認することで、安心して正式にホームページの作成依頼を行うことができる。
なお、試験的ホームページ作成の際に使用された設定内容については、正式なホームページを作成する際に、転用することで処理の簡略化を図ることもできる。
【００３０】
次に、作成依頼者が、ホームページの作成を依頼する際、漠然としたイメージしか抱いていなかった場合について、説明する。
【００３１】
作成依頼者が、ホームページの作成を依頼する際、漠然としたイメージしか抱いていなかった場合、Ｓｔｅｐ１０１の時点で、「大まかに設定」を選択し、例えば図３に示されるような設定を行う。「自分で設定」を選択した作成依頼者と異なり、ホームページに対するイメージはあっても、具体的な設定までは定められないため、例えば図３中にあるような、「どのようなイメージ」といった質問形式において、各種選択肢より選択を行うようにすることができる。
【００３２】
Ｓｔｅｐ１０３において、選択あるいは入力された設定に対し、Ｓｔｅｐ１０５においてホームページを作成する際の設定と対比した場合にどれに相当するか類推を行う。例えば、明るい感じが選択されていた場合、一般的に明るい感じがする配色を選択する。またあるいは、見易さが選択されていた場合、表示に用いるフォントも、平均的サイズか、それ以上のものを設定するようにすることができる。
【００３３】
Ｓｔｅｐ１０５において、大よその設定が決まった後、Ｓｔｅｐ１０７において、試験的ホームページ作成のための設定として設定、Ｓｔｅｐ１０８、１０９、１１０の過程を経て、作成依頼者に試験的ホームページを提示することができる。
【００３４】
なお、「大まかに設定」を選択した作成依頼者については、１回で満足のいくものを得られない場合もあるため、再び設定し直して作成ということになるため、設定作業を行いやすくするような配慮が必要である。この場合、例えば前回の設定を図３の画面に残しておくことで、再度の選択の参考とするように配慮することができる。
また、複数回の作成により、ある程度設定が絞り込まれてきた場合には、Ｓｔｅｐ１０１で「自分で設定」を選択した作成依頼者に表示される図２の画面に誘導し、現在の設定値を併せて表示することで、具体的な詰めを図るよう、配慮することもできる。
【００３５】
次に、作成依頼者が、ホームページの作成を依頼する際、具体的にどう設定してよいかわからず、また作成依頼者に適したものが何なのかわからない場合での設定について説明する。
【００３６】
Ｓｔｅｐ１０１の段階で、作成依頼者が、ホームページの作成を依頼する際、具体的にどう設定してよいかわからず、また作成依頼者に適したものが何なのかわからない場合には、「おまかせ」を選択する。そして、Ｓｔｅｐ１０４の設定入力においては、図４に示されるような作成依頼者自身の情報について確認するようにする。
【００３７】
例えば、業種や経営規模といった情報を確認する。さらに、作成依頼者だけでなく、周囲の環境といったものも確認することができる。
【００３８】
そして、Ｓｔｅｐ１０６において、これらの条件を合わせて分析し、どのようなホームページが適切かどうかを推測する。例えば、住宅地域にあり、経営規模も小さいような作成依頼者の場合、ファミリー向けのアットホーム的な雰囲気になるように推測できる。そして、これに適したホームページの設定を選択する。なお、ホームページの設定を選択する際には、ある程度のイメージ推測された段階にあると判断して、Ｓｔｅｐ１０５の類推のための機能を利用（もしくは共用）して、選択するようにしてもよい。
【００３９】
設定された内容に従い、Ｓｔｅｐ１０７からＳｔｅｐ１１０の経過を経て、作成依頼者に試験的ホームページを提供することができる。
なお、Ｓｔｅｐ１０４を経て来た作成依頼者については、Ｓｔｅｐ１０３を経てきた作成依頼者以上に、どのようなホームページにすべきか検討に手間がかかると想定されるため、Ｓｔｅｐ１０３の「大まかに設定」を選択した作成依頼者に表示される図３の画面に誘導して、設定を詰めやすくするよう配慮することができる。
【００４０】
以上のように、ホームページ作成に際し、作成依頼者側のレベルに合わせて、例えば図５のような試験的ホームページを得ることができ、これを参考として、作成依頼者は正式に作成依頼するホームページのデザインをレベルにあった内容で、確認を行うことができる。そして、作成依頼者は、安心して正式にホームページの作成依頼を行うことができる。
【００４１】
次に正式な作成依頼を受け、ホームページ提供業者は作成を行い、Ｗｅｂサーバー上に各作成依頼者のホームページを開設する。なお、ホームページについては、作成依頼者指定のＷｅｂサーバーに置くこともできるが、ホームページの作成依頼を行う状況にある作成依頼者のレベルを考慮るすと、ホームページ提供業者側でデータの更新やメンテナンスが可能なＷｅｂサーバーに置くのが、よい。本実施例の場合、図４のＷｅｂサーバー４に、作成依頼者のホームページを設置したものとする。
【００４２】
Ｗｅｂサーバー４には、更新データを保管する更新データ保管部と、更新データを元に定期／不定期に作成依頼者のホームページを更新するデータ更新部とを備えており、作成依頼者が作成依頼者端末２により、インターネット１を経由して、ホームページ提供業者端末３に対し、作成依頼者のホームページの更新依頼を行う。更新依頼に従って、ホームページ提供業者端末３から、Ｗｅｂサーバー４のデータ更新部に指示を行い、更新データ保管部に保管されたデータを用いて、ホームページの更新を行う。なお、作成依頼者から、特定のデータ使用の指定があった場合、この指定データを以って、ホームページの更新を行うことができる。
【００４３】
なお、更新内容や頻度を予め取り決めておいた場合や、更新内容をホームページ提供業者側で提供する場合には、Ｗｅｂサーバー４のデータ更新部に予め、更新のスケジュールを記録させておき、作成依頼者からの依頼に依らず、自動的に更新を行うようにすることができる。例えば、仮に作成依頼者が小売り業者であった場合、メーカーから提供される新製品の情報について、各小売店のホームページに掲載する際、予め、新製品の情報について、自動的に掲載するようにしておけば、各小売店は新製品の情報の更新の依頼を、都度行う必要がなく、また自動的に行われるため、タイムリーに新製品情報を、各小売店のホームページの閲覧者である顧客に対し、提供することが可能となる。なお、新製品の情報の更新については、情報を提供するメーカー側で、更新費用を肩代わりするようにして、ホームページの作成依頼者である各小売店の更新費用を節減するだけでなく、ホームページ提供業者への更新のための費用決済処理の手間を省くこともできる。
【００４４】
次に、ホームページ提供業者側が各作成依頼者のホームページの更新を行う際、作成依頼者の顧客データを参照し、参照した作成依頼者の顧客データを分析するすることで、作成依頼者の顧客に対しアピール度も高く、参照頻度も高くなり、プロモーション効果の高い更新を行うことができる。
【００４５】
例えば、作成依頼者の顧客データを分析することで、例えば年齢構成や居住地域から、より適した更新内容を選定することができる。仮に、年齢構成が高齢者中心であれば、高齢者に向けた情報を用いて更新を行うことで、また居住地域において、新興住宅地域が中心とされる場合にはこれに適した情報で更新を行うことで、より効果的に更新を行うことができる。
【００４６】
また、顧客データの分析によっては、更新の頻度やタイミングを調整するようにすることもできる。例えば、顧客データに修学児童や入学期にあるような子供を家族に含むような顧客が多いと分析されれば、学校の入学式などの季節行事に併せて、これに適した内容でホームページを更新することにより、顧客の興味を引くようにすることができる。
【００４７】
なお、更新内容については、掲載される情報は全てが対象となるが、別のホームページのリンクについても、更新するようにしてもよい。ホームページのリンクについては、リンク先ホームページのＵＲＬが変更され、リンク切れになっていることもあるが、ホームページの作成依頼を行うレベルの作成依頼者にとっては、新しいリンク先の追跡は難しい作業であり、ホームページ提供システム側での更新において、更新内容に含めることにより、作成依頼者側の手間を省くことができる。
さらに、リンク先ホームページに対し、リンクの許可取得をホームページ提供システム側で自動化し、代行するようにしてもよい。
【００４８】
作成されたホームページや、更新され続けるホームページの内容に対し、顧客からの問い合わせも発生するが、これについてもホームページ提供システム側で、自動的に対応するようにしてもよい。
【００４９】
例えば、顧客からの作成依頼者のホームページ内容に対する問い合わせが、電子メール、あるいは作成依頼者のホームページの掲示板システムなどに書き込まれた場合、ホームページ提供システム側で一旦これを受け取り、作成依頼者に通知する。通知については、インターネット１を経由して、作成依頼者端末２に対し、電子メールやその他の通信アプリケーションで表示し、対応を請うようにする。なお、Ｆａｘにて通知するようにしてもよい。
顧客からの問い合わせを受け取った作成依頼者は、直接顧客に連絡をとるようにしてもよいが、再度ホームページ提供システム側を経由して、顧客に回答するようにしてもよい。例えば、顧客が「電子メール利用」とあるが、作成依頼者側が対応していないような場合でも回答でき、有効である。
【００５０】
以上述べてきた実施例については、実施例や図に示される内容に、ネットワーク構成や機器が限定されるものではなく、本発明の内容を逸脱しない範囲において、変えることができる。
【００５１】
例えば、ホームページ提供システムで提供される更新データに関し、インターネット上で提供される他のシステムと、連携して動作させるようにしてもよい。商品の情報を掲載したチラシなどの広告資料について、現在紙媒体だけでなく、電子データとしてインターネットを経由して提供されるものがあるが、この広告資料を更新データの対象として、作成依頼者に提供しているホームページに掲載するようにすることができる。特に、広告資料の作成に当たって顧客データを利用している場合には、ホームページ提供システムで参照している作成依頼者の顧客データと共用（もしくは連動）させることで、より効果的な広告資料内容作成と、ホームページ上での提供を同時に図ることができる。
【００５２】
【発明の効果】
以上述べてきたように、本発明によれば、ホームページの作成・提供、維持・管理を行うホームページ提供システムに関し、作成依頼者が容易にホームページの作成を依頼することができ、また作成後の更新においても、効果的なプロモーションを行えるホームページの提供が可能となる。
【図面の簡単な説明】
【図１】本発明の一実施例におけるシステム構成の全体を示す図
【図２】本発明の一実施例における試験的ホームページ作成設定画面
【図３】本発明の一実施例における試験的ホームページ作成設定画面
【図４】本発明の一実施例における試験的ホームページ作成設定画面
【図５】本発明の一実施例における試験的ホームページ作成表示画面
【図６】本発明の一実施例における試験的ホームページ作成のフロー図
【符号の説明】
１…インターネット、
２…作成依頼者端末、
３…ホームページ提供システムの事業者側端末、
４…Ｗｅｂサーバー、
５…顧客端末
【図１】
2004062711.tif 000003
【図２】
2004062711.tif 000004
【図３】
2004062711.tif 000005
【図４】
2004062711.tif 000006
【図５】
2004062711.tif 000007
【図６】
2004062711.tif 000008